(57)【要約】【課題】  露光時間を調整することによって、１画素の大きさ、濃度のばらつきを調整し得るレーザプリンタを提出する。【解決手段】  それぞれに抵抗Ｒ０、Ｒ１、Ｒ２、Ｒ３を個別に含む複数の遅延回路２１-0、２１-1、２１-2、２１-3からなる遅延回路２１と、制御部からの信号Ｄ１、Ｄ２を受けて、前記遅延回路２１の複数の遅延回路２１-0、……、２１-3の中の１つを選択するマルチプレクサ２１ａと、印字すべき画像信号と前記選択された遅延回路を経由する画像信号とを入力に受け、論理和処理して出力するゲート回路２２とを備え、画像信号を遅延回路による遅延時間だけ延長して、レーザ発光部に入力する。【選択図】      図２
2006088350.tif 000002
【特許請求の範囲】
【請求項１】
レーザの画像信号と遅延回路を通した画像信号とを合成し、１画素の露光時間を延長すると共に、前記遅延回路は遅延時間の異なる複数の遅延回路からなり、制御部により少なくとも任意の１つの遅延回路が選択されることを特徴とするレーザプリンタ。
【請求項２】
プリント枚数をカウントするカウンタを備え、プリント枚数が所定の値を超える毎に、より遅延時間の長い遅延回路を選択することを特徴とする請求項１記載のレーザプリンタ。
【請求項３】
トナー収納部と、トナー収納部内のトナー残量を検出するセンサとを備え、センサで検出されたトナー残量に基づき、前記制御部が遅延回路を選択することを特徴とする請求項１記載のレーザプリンタ。
【発明の詳細な説明】
【技術分野】
【０００１】
この発明は、複写機、ファクシミリ装置、複合機などの画像形成装置として実施されるレーザプリンタに関する。
【背景技術】
【０００２】
従来より、複写機、ファクシミリ装置、複合機等の画像形成装置としては、プリントすべき画像データが、レーザ光源であるレーザダイオードに与えられ、このレーザダイオードよりのレーザ光がポリゴンミラーでスキャンされて感光体ドラムに投射され、感光体ドラムの表面がレーザ光による露光により、静電潜像を形成し、この潜像にトナーが付着し、その後、感光体ドラムの回転によって記録紙にトナーが転写され、プリントを行うレーザプリンタがよく使用されている（例えば、特許文献１参照）。
【０００３】
ところで、この種のレーザプリンタにおいては、中間調を実現する手段として、１画素の露光時間を変更することが開示されている（例えば、特許文献２、特許文献３参照）。
【特許文献１】特開平６−３０５１６８号公報
【特許文献２】特開平５−２１１５９４号公報
【特許文献３】特開平５−２７００５８号公報
【発明の開示】
【発明が解決しようとする課題】
【０００４】
一般にレーザプリンタでは、プリントすべき画像データの１画素について、所定の露光時間を与えて、静電潜像の１画素を形成している。しかし、レーザダイオードの発光量のばらつき、感光体ドラムの有機導電感光体（ＯＰＣ）の感度のばらつきにより、機台毎に静電潜像の１画素の大きさ、帯電量にばらつきが出て、その結果、記録紙上に形成される１画素の大きさもばらつく問題点がある。また、上記特許文献２、特許文献３には、１画素についての露光時間を変更することで中間調を実現しているが、１画素についての露光時間を変更して、機台間のばらつきを調整することには用いられていない。
【０００５】
更に、トナーの残量により、静電潜像の１画素へのトナーの付着量が異なってくる。つまり、トナー残量が減れば、付着量が減り、記録紙上に形成される画像が薄くなるという問題点がある。上記特許文献２、特許文献３には、常に均一な濃度で記録するためにレーザの露光時間を調整することは開示されていない。
【０００６】
この発明は上記問題点に着目してなされたものであって、露光時間を調整することによって、１画素の大きさ、濃度のばらつきを調整し得るレーザプリンタを提供することを目的としている。
【課題を解決するための手段】
【０００７】
この発明のレーザプリンタは、レーザの画像信号と遅延回路を通した画像信号とを合成し、１画素の露光時間を延長すると共に、前記遅延回路は遅延時間の異なる複数の遅延回路からなり、制御部により少なくとも任意の１つの遅延回路が選択される。
【０００８】
また、この発明のレーザプリンタは、上記手段に加えて、プリント枚数をカウントするカウンタを備え、プリント枚数が所定の値を超える毎に、より遅延時間の長い遅延回路を選択することができる。
【０００９】
また、この発明のレーザプリンタは、上記手段に加えて、トナー収納部と、トナー収納部内のトナー残量を検出するセンサとを備え、センサで検出されたトナー残量に基づき、前記制御部が遅延回路を選択することとできる。
【発明の効果】
【００１０】
この発明によれば、遅延時間の異なる遅延回路から少なくとも１つを選択することにより、機台間の濃度のばらつきを調整することができる。
【００１１】
また、プリント枚数をカウントして順次露光する時間を増やしていくことにより、記録紙上に形成される画像の濃度を調整することができる。
【００１２】
また、トナー残量が少なくなることに応じ、順次露光する時間を増やしていくことにより、やはり記録紙上に形成される画像の濃度を調整することができる。
【発明を実施するための最良の形態】
【００１３】
以下、実施の形態により、この発明をさらに詳細に説明する。図１はこの発明のレーザプリンタを採用した実施形態ファクシミリ装置の構成を示すブロック図である。このファクシミリ装置は、ファクシミリ、複写機能等を備えた複合機である。
【００１４】
このファクシミリ装置は、ＭＰＵ１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、表示部７と、操作部８と、スキャナ９と、ＣＯＤＥＣ１０と、画像処理回路１１と、ＬＳＵ（レーザスキャンユニット）１２と、プリント用ＣＯＤＥＣ１３と、ページメモリ１４と、プリンタ機構制御部１５と、トナーセンサ１６と、濃度調整回路１７と、バス１８を備えている。
【００１５】
ＭＰＵ１は、ＲＯＭ４に格納するプログラムに従い、この装置を構成する各部を制御する機能を有する。ＮＣＵ２は、電話回線網（ＰＳＴＮ）１９との接続を制御するとともに、相手先の電話番号（ＦＡＸ番号を含む）に対応した選択（ダイヤル）信号を送出する機能、及び呼出信号を検出するための機能を備えている。ＭＯＤＥＭ３は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。あるいは、これらに加えてＶ．３４に従った送信データの変調及び受信データの復調を行う。
【００１６】
ＲＯＭ４は、この装置を制御するためのプログラムを記憶する。ＲＡＭ５はＭＰＵ１が処理するデータ等を一時的に記憶する。ＲＡＭ５は、プリント枚数カウント値記憶領域５ａを備えている。画像メモリ６は、受信した画像データやスキャナ９で読み取った画像データを記憶する。表示部７は、装置からオペレータへの伝達情報等を表示する。操作部８は、テンキー、ＦＡＸキー、ＣＯＰＹキー、スタートキー、ワンタッチキー等の操作キースイッチを有する。
【００１７】
スキャナ９は、原稿コピー時にあるいは原稿をファクシミリ送信する際に、原稿をスキャンして読み取る。
【００１８】
ＣＯＤＥＣ１０は、画像データを送信するために、ＭＨ、ＭＲ、ＭＭＲ方式等により符号化（エンコード）し、受信した画像データを復号（デコード）する。  画像処理回路１１は、ページメモリ１４に格納された印字すべき画像データを読み出し、画像処理を施し、レーザプリンタを構成するＬＳＵ１２に印字データ、クロック信号、ストローブ信号等を供給する。プリント用ＣＯＤＥＣ１３は、プリント画像処理時の画像データの符号化／復号に使用する。プリンタ機構制御部１５は、ＭＰＵ１からの指令により、ＬＳＵ１２のポリゴンミラーの回転機構、プリンタ搬送部等の機構部を駆動する。トナーセンサ１６は、トナーユニット（図示せず）に収納のトナー残量を検出する。
【００１９】
以上の各構成は、一般にファクシミリ装置に備えるものであり、特に新規なものではない。この実施形態ファクシミリ装置の特徴は、濃度調整回路１７を備えたことである。この濃度調整回路１７は、印字すべき画像データをＬＳＵ１２に供給するのに、その画像データと遅延回路とを通した画像データとを合成して、１画素の露光時間を延長し、かつその延長時間を複数の遅延回路の切替により、機台毎に制御して濃度を調整する。
【００２０】
この濃度調整回路１７の回路構成例を図２に示す。この濃度調整回路１７は、抵抗Ｒ０、Ｒ１、Ｒ２、Ｒ３を個別に含む複数の遅延回路２１-0、２１-1、２１-2、２１-3と、マルチプレクサ２１ａとからなる遅延回路２１と、印字すべき画像データＶｄａｔａを直接一方の入力端に受け、遅延回路２１を経由する画像データを他方の入力に受ける論理和機能を有するゲート回路２２とから構成されている。複数の遅延回路２１-0、……、２１-3は、それぞれ遅延時間が異なるように設定されている。遅延回路２１は、制御部（ＭＰＵ１）からマルチプレクサ２１ａに入力される選択信号Ｄ１、Ｄ２によって、マルチプレクサ２１ａが抵抗Ｒ０、Ｒ１、Ｒ２、Ｒ３の遅延回路２１-0、……、２１-3の１つを選択し、機能上、複数個（ここでは４個）の遅延回路の１つが選択され、遅延時間を変更できるようにしている。
【００２１】
この濃度調整回路１７において、画像データ出力部より、画像データＶｄａｔａの一画素が入力され、また選択信号Ｄ１、Ｄ２として、例えば抵抗Ｒ１の遅延回路２１-1を選択する信号が入力されると、図３の（ａ）に示すように、遅延回路２１で画像データＶｄａｔａがｔ１だけ遅延されて出力される。そのためゲート回路２２の論理和出力は、図３の（ａ）のＶ’ｄａｔａで示すように、一画素のデータがｔ１だけ延長される。
【００２２】
この画像データＶ’ｄａｔａがレーザ発光部３１に与えられ、レーザ発光部３１はＴ１にわたり発光する。このレーザ光はボリゴンミラー３２、レンズ３３、反射ミラー３４を経て、感光体ドラム３５に投射され、露光する。延長された露光時間分、濃い印字濃度となる。
【００２３】
マルチプレクサ２１ａに入力される選択信号Ｄ１、Ｄ２が１、０であると抵抗Ｒ２の遅延回路２１-2が選択される。この場合は、図３の（ｂ）に示すように、遅延回路２１で画像データＶｄａｔａがｔ２（ｔ１＜ｔ２）だけ遅延されて出力される。そのため、ゲート回路２２の論理和出力は、図３の（ａ）のＶ’ｄａｔａで示すように、一画素のデータがｔ２だけ延長される。ｔ１＜ｔ２なので、図３の（ａ）の場合より、より濃く印字されることになる。
【００２４】
マルチプレクサ２１ａに入力される選択信号Ｄ１、Ｄ２が１、１であると抵抗Ｒ３の遅延回路２１-3が選択される。この場合は、図３の（ｃ）に示すように、遅延回路２１で画像データＶｄａｔａがｔ３（ｔ２＜ｔ３）だけ遅延されて出力される。そのため、ゲート回路２２の論理和出力は、図３の（ｃ）のＶ’ｄａｔａで示すように、１画素のデータがｔ３だけ延長される。ｔ２＜ｔ３なので、図３の（ａ）、図３の（ｂ）の場合より、より濃く印字されることになる。
【００２５】
次に、マルチプレクサ２１ａに入力される選択信号Ｄ１、Ｄ２が０、０であると抵抗Ｒ０の遅延回路２１-0が選択される。この場合、遅延回路２１で画像データＶｄａｔａがｔ０だけ遅延されて出力される。この遅れ時間ｔ０は、ｔ１よりも小さく、例えばｔ０＝０に設定していれば、遅延回路２１からゲート回路２２に入力される画像データＤｄａｔａは、遅延回路２１を介さないで入力される画像データＶｄａｔａに対し遅れがなく、ゲート回路２２からは画像データＶｄａｔａと同時間であり、延長のない１画素データが出力される。
【００２６】
このように、この実施形態ファクシミリ装置では、ＭＰＵ１からの選択信号Ｄ１、Ｄ２によって、遅延時間の異なる遅延回路の１つが選択され、遅延回路２１より出力される画像データの遅延時間を調整し、これによりゲート回路２２の出力期間の延長度合いを調整し、感光体ドラムの露光時間を変え、印字濃度を調整することができる。
【００２７】
この濃度調整回路１７により、その機台の印字濃度が弱目に出る場合は、一画素の露光時間を長く設定し、逆にその機台の印字濃度が濃目に出る場合は、一画素の露光時間を短く設定し、機台間の濃度のばらつきを抑えることができる。
【００２８】
また、この実施形態ファクシミリ装置では、プリントを行う毎に、プリント枚数をカウントして、プリント枚数カウント値記憶領域５ａに記憶し、プリント枚数が所定値になると、画像データＶ’ｄａｔａの一画素の露光時間を、それまでよりも延長させて、多数枚のプリントにより各画素の印字濃度が低下するのをカバーしている。画像データＶ’ｄａｔａの一画素の露光時間の延長は、濃度調整回路１７において遅延時間の長い遅延回路に切り替えることにより行う。
【００２９】
ここでは、プリント枚数が所定値になる毎に遅延回路２１の複数の遅延回路から１つの遅延回路を選択する。選択によって、より長い遅延時間の遅延回路に切り替えるが、場合によって、それまでの遅延回路を選択することもある。プリント枚数の閾値及び選択される遅延回路は機台に応じて予め登録されている（図６の機台Ａ、機台Ｂの例参照）。
【００３０】
遅延回路を切り替えるプリント枚数の閾値は、ＯＰＣの劣化の影響が優勢ならばＯＰＣの特性により定める。プリント枚数カウント値記憶領域５ａのカウント枚数は、感光体ドラムの交換によりリセットされる。一方、トナーの減少の影響が優先的ならば、トナーの減少量により遅延量を増加させる。カウント枚数は、トナーの補給、トナーユニットの交換によりリセットする。
【００３１】
また、この実施形態ファクシミリ装置では、トナーセンサ１６でトナーユニットのトナー残量を検知し、トナー残量が所定値以下になると、画像データＶ’ｄａｔａの一画素の露光時間を、それまでよりも延長させて、トナー残量が少なくなったことにより、トナーの付きが悪くなり、各画素の印字濃度が低下するのをカバーしている。この場合の画像データＶ’ｄａｔａの一画素の露光時間の延長も濃度調整回路１７において遅延時間の長い遅延回路に切り替えことにより行う。
【００３２】
ここでは、トナーの減少により、トナー残量が所定値になる毎に遅延回路２１の複数の遅延回路から１つの遅延回路を選択する。選択によって長い遅延時間の遅延回路に切り替えるが、場合によって、それまでの遅延回路を選択することもある。トナー残量の閾値及び選択される遅延回路は、機台に応じて、予め登録されている（図７の機台Ａ、機台Ｂの例参照）。
【００３３】
次に、この実施形態ファクシミリ装置において、プリント枚数のカウント時の処理動作を図４に示すフロー図を参照して説明する。装置において、プリント動作を実行し、プリント枚数をカウントすると、図４に示す処理ルーチンに入る。先ず、ステップＳＴ１において、プリント枚数Ｐを１インクリメントする。次に、ステップＳＴ２へ移行する。
【００３４】
ステップＳＴ２においては、プリント枚数Ｐが所定値Ｐｔｈ（ｉ）〔ｉの初期値＝１〕より大きいか否か判定する。プリント枚数ＰがＰｔｈ１＝Ｐ（１）よりも大きくない場合は、そのままリターンする。この場合、プリント枚数Ｐが所定値Ｐｔｈ１に達していないので、濃度調整回路１７のゲート回路２２より出力される画像データＶ’ｄａｔａの期間は、通常の露光時間に相当するものである。図６に示す機台Ａの場合、遅延回路２１の抵抗Ｒ０の遅延回路２１-0が選択された最も遅延時間の小さい、つまり最も短い時間の露光でプリントを実行している。
【００３５】
ステップＳＴ２において、プリント枚数ＰがＰｔｈ１＝Ｐ（１）を超えたと判定されると、ステップＳＴ３へ移行する。ステップＳＴ３においては、抵抗Ｒｍ＝Ｒ３か否か判定する。遅延回路２１において、最も遅延時間の大となる遅延回路に相当する抵抗Ｒ３の遅延回路２１-3が選択されている場合は、判定「はい」で、ステップＳＴ５へ移行する。しかし、Ｒｍ＝Ｒ３でない場合は、ステップＳＴ４へ移行する。ステップＳＴ４においては、Ｒｍのｍを１インクリメントした抵抗Ｒｍの遅延回路を選択する。この場合は、図６に例示する機台Ａの上記例に相当する。図６に示す機台Ａの例では、Ｐ＝Ｐ（１）に達した時点で、それまでは抵抗Ｒ０の遅延回路２１-0が選択されている。そのため、ステップＳＴ４において、上記機台Ａの場合に抵抗Ｒ０の遅延回路２１-0から抵抗Ｒ１の遅延回路２１-1に切り替える。次に、ステップＳＴ５へ移行する。ステップＳＴ５においては、変数ｉを１インクリメントしてリターンする。図６に示す例の場合には、閾値である所定値Ｐｔｈ１＝Ｐ（１）を所定値Ｐｔｈ２＝Ｐ（２）に変える。
【００３６】
以上の処理を、プリント枚数をカウントする毎に繰り返す。図６に示す機台Ａの場合、プリント枚数Ｐが次の所定値Ｐｔｈ２＝Ｐ（２）に達するまでは、遅延回路２１の抵抗Ｒ１の遅延回路２１-1を選択したままで、プリントを継続する。以後、プリント枚数Ｐが所定値Ｐｔｈ２＝Ｐ（２）を超えると、機台Ａでは遅延回路２１の抵抗Ｒ１の遅延回路２１-1を抵抗Ｒ２の遅延回路２１-2に切り替えて、画像データＶｄａｔａの遅延回路２１における遅延時間を大きくし、一画素の露光時間を更に延長する。
【００３７】
なお、プリント枚数Ｐが同じ所定値Ｐｔｈ（ｉ）に達するまで、あるいは達した時点で、遅延回路２１を抵抗Ｒ０、……、Ｒ３のどの遅延回路２１-0、……、２１-3に選択するかは機台毎に各機台の特性に応じて予め設定される。例えば図６に示す例では、機台Ａに対し機台Ｂは初期から遅延時間の大なる抵抗が選択されるよう設定されている。
【００３８】
続いて、この実施形態ファクシミリ装置において、トナー残量検出時の処理動作を、図５に示すフロー図を参照して説明する。装置において、例えばプリント動作時にトナー残量を検出すると、図５に示す処理ルーチンに入る。先ず、ステップＳＴ１１において、トナー残量Ｔが所定値Ｔ（４）より少ないか否か判定する。ここで所定値Ｔ（４）は、図７に示すように、トナー残量Ｔが所定値よりも小さいか否かを判定する値で、最も小なる閾値であり、Ｔ（４）＜Ｔ（３）＜Ｔ（２）＜Ｔ（１）の順で、トナー残量大の閾値となる。
【００３９】
ステップＳＴ１において、トナー残量Ｔが所定値Ｔ（４）よりも小さい場合は、ステップＳＴ１６へ移行する。一方、トナー残量Ｔが所定値Ｔ（４）以上の場合は、ステップＳＴ１２へ移行する。ステップＳＴ１２においては、トナー残量Ｔが所定値Ｔ（ｉ）〔ｉの初期値＝１〕より小さいか否か判定する。トナー残量ＴがＴ（１）よりも小さくない場合は、まだトナー残量Ｔが十分有り、そのままリターンする。この場合、トナーＴが所定値Ｔ（１）よりも小さくなっていないので、濃度調整回路１７のゲート回路２２より出力される画像データＶ’ｄａｔａの期間はトナー交換時の露光時間に相当するものである。図７に示す機台Ａの場合、遅延回路２１の抵抗Ｒ０の遅延回路２１-0が選択された最も遅延時間の小さい、つまり最も短い時間の露光時間でプリントを実行している。
【００４０】
ステップＳＴ１２において、トナー残量Ｔが所定値Ｔ（１）より小さいと判定されると、ステップＳＴ１３へ移行する。ステップＳＴ１３においては、抵抗Ｒｍが抵抗Ｒ３より小さいか否か判定する。例えば、図７の機台Ａにおいて、トナー交換後の初期時は、上述したようにＲｍ＝Ｒ０なので、ステップＳＴ１３の判定「はい」で、ステップＳＴ１４へ移行する。ステップＳＴ１４においては、抵抗Ｒｍ（Ｒｍ＝Ｒ０）のｍを１インクリメントする。図７の機台Ａでは、トナー交換直後の抵抗Ｒ０の遅延回路２１-0を抵抗Ｒ１の遅延回路２１-1に切り替える。次に、ステップＳＴ１５へ移行する。ステップＳＴ１５においては、変数ｉを１インクリメントしてリターンする。図７に示す例の場合には、トナー残量の次の比較用の閾値をＴ（１）からＴ（２）に変える。ステップＳＴ１６においては、トナー残量Ｔが閾値Ｔ（４）よりも小となったので、表示部７に「トナーを補給して下さい」を意味する表示を行う。
【００４１】
以上の処理を、トナー残量を検出する毎に繰り返す。図７に示す機台Ａの場合、トナー残量Ｔが次の所定値Ｔ（２）に達するまでは、遅延回路２１の抵抗Ｒ１の遅延回路２１-1を選択したままで、プリント動作を継続する。以後、トナー残量Ｔが所定値Ｔ（２）に達すると、機台Ａでは遅延回路２１の抵抗Ｒ１の遅延回路２１-1を抵抗Ｒ２の遅延回路２１-2に切り替えて画像データＶｄａｔａの遅延回路２１における遅延時間を大きくし、一画素の露光時間を更に延長する。
【００４２】
トナー残量Ｔが同じ所定値Ｔ（ｉ）に達するまで、あるいは達した時点で、遅延回路２１の抵抗Ｒ０、……、Ｒ３の遅延回路２１-0、……、２１-3のどれを選択するのか機台毎に各機台の特性に応じて予め設定される。例えば、図７に示す機台Ａに対し、機台Ｂは初期から遅延時間の大となる抵抗の遅延回路が選択されるよう設定されている。トナー交換後の時間が経過し、だんだんトナー残量Ｔが少なくなり、遅延回路２１の抵抗Ｒ３の遅延回路２１-3が選択されると、ステップＳＴ１３の判定が「いいえ」となり、ステップＳＴ１４をスキップして、ステップＳＴ１５へ移行する。その後は、遅延回路２１の抵抗Ｒ３の遅延回路２１-3のままで切り替えないで、トナー残量Ｔの減少とともに変数ｉをインクリメントする。
【００４３】
なお、上記実施形態ファクシミリ装置では、プリント枚数によって遅延回路の遅延時間を切り替える場合と、トナー残量により、遅延回路の遅延時間を切り替える場合とを併せ持つものについて説明したが、この発明の実施形態として、これらの中、いずれか１つを備えるものであっても良い。
【００４４】
また、上記実施形態では、本発明をファクシミリ装置に実施する場合について説明したが、これに限ることなく、複写機、プリンタ装置、その他の画像形成装置に本発明を適用することができる。
【図面の簡単な説明】
【００４５】
【図１】この発明の一実施形態ファクシミリ装置の構成を示すブロック図である。
【図２】同実施形態ファクシミリ装置の濃度調整回路を示すブロック図である。
【図３】同濃度調整回路の動作を説明するための波形図である。
【図４】上記実施形態ファクシミリ装置におけるプリント枚数に応じた濃度調整制御を説明するフロー図である。
【図５】同実施形態ファクシミリ装置におけるトナー残量に応じた濃度調整制御を説明するフロー図である。
【図６】同実施形態ファクシミリ装置におけるプリント枚数と、濃度調整回路の遅延用抵抗の切替設定例を示す図である。
【図７】同実施形態ファクシミリ装置におけるトナー残量と、濃度調整回路の遅延用抵抗の切替設定例を示す図である。
【符号の説明】
【００４６】
１        ＭＰＵ
４        ＲＯＭ
５        ＲＡＭ
５ａ      プリント枚数カウント値記憶領域
１１      画像処理回路
１２      ＬＳＵ
１３      プリント用ＣＯＤＥＣ
１４      ページメモリ
１５      プリンタ機構制御部
１６      トナーセンサ
１７      濃度調整回路
２１      遅延回路
２２      ゲート回路
【図１】
2006088350.tif 000003
【図２】
2006088350.tif 000004
【図３】
2006088350.tif 000005
【図４】
2006088350.tif 000006
【図５】
2006088350.tif 000007
【図６】
2006088350.tif 000008
【図７】
2006088350.tif 000009